(57)【要約】  ヘアクリップであって、クリップの前方に爪（５、７）を備える二つのシェル（１、３）を備え、該シェルは、爪（５、７）が接近し、さらに交差して、爪と各シェルの内壁（１０、３０）によって閉じ込められた髪を締め付ける閉じた状態から、シェル（１、３）を閉じた状態に戻そうとする弾性戻し手段（１３、１３１、１３２）の変形に逆らって爪が離れる開いた状態まで、クリップの後方に同じ軸線方向（Ａ）に沿って延びている二つのシェルの蝶番（８〜１２）を中心にして互いに対して回転し、例えば装飾品を付けるための支持プレート（１７）と、閉じた状態で支持プレート（１７）を二つのシェル（１、３）の上に支持する二つの脚部（１９〜２２）を備えるヘアクリップ。本発明によると、二つの脚部（１９〜２２）は、閉じた状態では軸線方向（Ａ）の前方で二つのシェル（１、３）に連結しており、それによって、二つのシェル（１、３）が閉じた状態から開いた状態に回転するとき、後方へ並進移動しながら軸線方向（Ａ）に対する支持プレート（１７）の上昇運動を構成する。
2009502222.tif 000002
【特許請求の範囲】
【請求項１】
ヘアクリップであって、クリップの前方に爪（５、７）を備える二つのシェル（１、３）を備え、該シェルは、爪（５、７）が接近し、さらに交差して、爪によって閉じ込められた髪を締め付ける閉じた状態から、シェル（１、３）を閉じた状態に戻そうとする弾性戻し手段（１３、１３１、１３２）の変形に逆らって爪が離れる開いた状態まで、クリップの後方に同じ軸線方向（Ａ）に沿って延びている二つのシェルの蝶番（８〜１２）を中心にして互いに対して回転し、例えば装飾品を付けるための支持プレート（１７）と、閉じた状態で支持プレート（１７）を二つのシェル（１、３）の上に支持する二つの脚部（１９〜２２）を備えるヘアクリップにおいて、二つの脚部（１９〜２２）が、閉じた状態では軸線方向（Ａ）の前方で二つのシェル（１、３）に連結しており、それによって、二つのシェル（１、３）が閉じた状態から開いた状態に回転するとき、後方へ並進移動しながら軸線方向（Ａ）に対する支持プレート（１７）の上昇運動を構成することを特徴とする、ヘアクリップ。
【請求項２】
二つの脚部（１９〜２２）が、二つのシェルの蝶番（８〜１２）の間と、二つのシェル（１、３）が閉じた状態から開いた状態に回転するときに回転軸線方向（Ａ）に対して支持プレート（１７）が上昇するにつれて脚部（１９〜２２）を中心にして間隔が狭められる二つのシェルの後縁部（２３、２５）の間に延びて、二つのシェル（１、３）の内壁（１０、３０）と連結される（２６〜２９）ことを特徴とする、請求項１に記載のヘアクリップ。
【請求項３】
二つの脚部（２０、２２）が、二つのシェルが閉じた状態にあるとき交差し、二つのシェル（１、３）が開いた状態にあるときには、間隔が狭められる二つのシェルの後縁部（２３、２５）の間で一致するように、互い違いに配置され、肘形に曲がっている（６、１６；８、１８）ことを特徴とする、請求項２に記載のヘアクリップ。
【請求項４】
脚部（１９〜２２）が、二つのシェルに固定された骨格の二つの構成要素（２６、２９）にはめ込まれる肘金（２７、２８）を備えることを特徴とする、請求項１〜３のいずれか一つに記載のヘアクリップ。
【請求項５】
二つの脚部（１９〜２２）が、二つのシェル（１、３）が閉じた状態で二つの脚部が交差しているときに互いによりかかるストッパ（３９、４１）を備えることを特徴とする、請求項３または４に記載のヘアクリップ。
【請求項６】
ストッパ（３９、４１）が、肘金（２７、２８）と各脚部（１９〜２２）の第一の肘部（１６、１８）との間に延びていることを特徴とする、請求項５に記載のヘアクリップ。
【請求項７】
二つのシェル（１、３）が閉じた状態にあるとき、ストッパ（３９、４１）は、二つの肘金（２７、２８）の整列（Ｔ）に対して支持プレート（１７）の反対側（Ｅ）で互いに接触するようになっており、二つのストッパ（３９、４１）が支持プレート（１７）を後方に並進移動させながら互いに対して回転することを防ぐようになっていることを特徴とする、請求項５または６に記載のヘアクリップ。
【請求項８】
支持プレート（１７）及び二つの脚部（１９〜２２）は、鋳造及び射出されたプラスチック材料製の同一部品であり、脚部（１９〜２２）と支持プレート（１７）との間の接合部で材料が薄くなっている部分（３１、３３）を呈することを特徴とする、請求項１〜７のいずれか一つに記載のヘアクリップ。
【請求項９】
弾性戻し手段（１３）が、一組のシェルの蝶番（８１〜１２１；８２〜１２２）によって各々支持された二つの軸（３５、３７）を中心にして取り付けられた二つのばね（１３１、１３２）を備えることを特徴とする、請求項１に記載のヘアクリップ。
【請求項１０】
弾性戻し手段（１３）が、二つのシェル（１、３）の間に張られたエラストマー材料製のひもであることを特徴とする、請求項１に記載のヘアクリップ。
【発明の詳細な説明】
【技術分野】
【０００１】
本発明は、ヘアクリップであって、特にクリップの前方に爪を備える二つのシェルを備え、該シェルは、クリップの後方に同じ軸線方向に沿って延びている二つのシェルの蝶番を中心にして互いに対して回転する、ヘアクリップに関するものである。二つのシェルは、爪が接近し、さらに交差して、爪と各シェルの内壁によって閉じ込められた髪を締め付ける閉じた状態から、爪が離れて髪を解放する開いた状態まで回転する。弾性戻し手段が、二つのシェルの開いた状態での回転に対抗して、シェルを閉じた状態に戻そうとして変形する。
【背景技術】
【０００２】
この型のヘアクリップは、特に、文献独国特許出願第２９６００６４３号明細書または文献国際公開第０５／０２５３７１号パンフレットで公知である。
【０００３】
第一の文献では、弾性戻し手段は、二つのシェルの蝶番によって支持された軸を中心にして取り付けられ、二つのシェルと各々一体化された二つのレバーに作用するばねである。互いに関節式に接続され、各々が蝶番によって各シェルのレバーに接続される二つの脚部を備えるカバーが、特に閉じた状態でばねを隠すために想定されている。レバーに固定されたカバーは、特にヘアクリップの開いた状態で大きな空間を占める。
【０００４】
第二の文献では、ばねは、特に閉じた状態で二つのシェルによって隠れるようにこれらのシェルの間に張られたエラストマー材料製のひもに取り替えられている。
【０００５】
米国特許出願公開第２００４／０２２６５７４号明細書は、さらに例えば装飾品を付けるための支持プレートを備える、上記のようなヘアクリップを公表している。支持プレートは、クリップの二つのレバーによって二つのシェルの上に支持されており、そのレバーによって二つのシェルの回転軸線方向の後方に配置されている。レバーが互いに接近して、二つのシェルを閉じた状態から開いた状態に回転させるとき、支持プレートはレバーに対して回転する。
【０００６】
支持プレートをレバー自体に連結することは、ヘアクリップを開くためのレバーの取り扱いに障害を生み出しているように思われる。そのうえ、レバーに対して支持プレートが回転することによって、開いた状態での前方から後方へのヘアクリップの寸法が大きくなり、これはさらにユーザによるクリップの容易な取り扱いの邪魔になるようである。
【特許文献１】ドイツ国特許出願第２９６００６４３号明細書
【特許文献２】国際公開第０５／０２５３７１号パンフレット
【特許文献３】米国特許出願公開第２００４／０２２６５７４号明細書
【発明の開示】
【発明が解決しようとする課題】
【０００７】
本発明の目的は、上記の型のヘアクリップを修正して、特に開いた状態での、支持プレートの存在によって大きくなっている寸法を小さくすることである。したがって、本発明は、ヘアクリップのより容易な取り扱いを目的としている。
【課題を解決するための手段】
【０００８】
そのため、本発明は、上記の型のヘアクリップであって、二つの脚部が、閉じた状態では軸線方向の前方で二つのシェルに連結しており、それによって、二つのシェルが閉じた状態から開いた状態に回転するとき、後方へ並進移動しながらの、軸線方向に対する支持プレートの上昇運動を構成することを特徴とするヘアクリップを目的とする。
【０００９】
この配置によって、後方へ並進移動しながらの回転軸線方向に対する支持プレートの上昇は、支持プレートを支持する脚部の長さと、軸線方向の前方で脚部が二つのシェルと連結する位置に応じて調節できる。
【００１０】
支持プレート及び二つの支持脚部は、そのようにして骨格を形成し、骨格が軸線方向に対して下降している、クリップが閉じた状態のとき、あるいは、骨格がこの軸線方向に対して上昇している、クリップが開いた状態のときでも、該骨格は小さな空間を占める。その結果、骨格の支持プレートにあらゆるサイズの装飾品を付けることができる。
【００１１】
好ましい一実施態様では、脚部は、二つのシェルの蝶番の間と、二つのシェルが閉じた状態から開いた状態に回転するときに回転軸線方向に対して支持プレートが上昇するにつれて脚部を中心にして間隔が狭められる二つのシェルの後縁部の間に延びて、二つのシェルの内壁と連結される。二つのシェルの内壁に固定することによって、骨格の露出が小さくなり、骨格の保護に役立つ。
【００１２】
この好ましい実施態様では、骨格は、二つのシェルが閉じた状態にあるときには交差し、二つのシェルが開いた状態にあるときには、間隔が狭められる二つのシェルの後縁部の間で一致するように、互い違いに配置された、肘形に曲がった二つの脚部を有する。
【００１３】
この配置によって、二つの脚部が交差している間の、上昇が小さい第一段階と、二つの脚部の肘形に曲がった部分が互いに一致しているときの、上昇が大きい第二段階とで、骨格の上昇を制御する。また、この配置によって、骨格の寸法が小さくなり、二つの脚部が伸びるのに必要な二つのシェルの二つの後縁部間の間隔が狭くなる。
【００１４】
本発明のその他の利点は、添付図面によって図示した二つの実施態様の説明から明らかになるであろう。
【実施例】
【００１５】
図１は、本発明の第一の実施態様による閉じた状態のクリップの断面図である。
【００１６】
図２は、開いた状態の図１のクリップの断面図である。
【００１７】
図３は、図１及び２に示したクリップのシェルへのひもの固定方法を詳細に示している。
【００１８】
図４は、本発明の第二の実施態様による閉じた状態のクリップの断面図である。
【００１９】
図５は、開いた状態の図４に示したクリップの断面図である。
【００２０】
図６は、図４に示したクリップの正面図である。
【００２１】
図７は、弾性戻し手段がばねの組である第二の実施態様の一変形実施例の正面図である。
【００２２】
図８は、第一または第二の実施態様によるクリップのシェルの蝶番の正面図である。
【００２３】
図９は、クリップの閉じた状態に対応する下降した位置における、第二の実施態様によるヘアクリップで使用される骨格を示している。
【００２４】
図１０は、クリップの開いた状態に対応する上昇した位置での図９の骨格を示している。
【００２５】
図１１は、肘金の区域に切り込みのある図９及び１０に示した骨格の脚部の正面図である。
【００２６】
図１２は、上記の図９、１０及び１１に図示した骨格の射出鋳造による製造用のパーティングラインの概略図である。
【００２７】
図１３は、二つの脚部がストッパを備える骨格の第三の実施態様を示している。
【００２８】
図１４は、ストッパが互いに離れている図１３の骨格を示している。
【００２９】
図１５は、図１３及び１４の骨格の斜視図である。
【００３０】
図１６は、クリップが閉じた状態にある、第三の実施態様による骨格を備えるヘアクリップを示している。
【００３１】
図１〜８を参照すると、ヘアクリップは、クリップの前方に爪５、７を備える二つのシェル１、３を備え、該シェルは、クリップの後方に同じ軸線方向Ａに延びている二つのシェルの蝶番を中心にして互いに対して回転する。
【００３２】
図６に示した実施例では、二つのシェルの蝶番は、各々二つの構成要素を備え、一方の構成要素８、１１は二つのシェルの一方のシェル１に固定されており、もう一方の構成要素９、１２は二つのシェルのもう一方のシェル３に固定されている。図８にまた明らかに示されているように、各シェルに固定された各蝶番の構成要素の一方８、１１は、もう一方のシェルに固定されたもう一方の構成要素９、１２の中繰りに挿入される肘金を備える。
【００３３】
図７に示した実施例では、シェルの蝶番は、各々二つの組に分けられている。シェルの蝶番の第一の組は二つのシェルの一方のシェル１に固定された二つの構成要素８１、８２と、もう一方のシェル３に固定された二つの構成要素９１、９２を備える。同様に、シェルの蝶番の第二の組は二つのシェルの一方のシェル１に固定された二つの構成要素１１１、１１２と、もう一方のシェル３に固定された二つの構成要素１２１、１２２を備える。シェルの蝶番の二つの組によって、二つのシェルを同一の軸線方向Ａを中心にして互いに対して回転させることができ、各組は、軸３５と軸３７をそれぞれ備え、該軸はそれぞれ構成要素８１、８２、９１、９２と構成要素１１１、１１２、１２１、１２２を通過する。
【００３４】
上記に記載の二つの場合では、二つのシェルの蝶番８、９、１１、１２またはシェルの蝶番の二つの組８１、８２、９１、９２及び１１１、１１２、１２１、１２２は軸線方向Ａに沿って互いに離れており、それによって、以下に示すように、本発明による骨格の脚部が通過できることが注目される。
【００３５】
二つのシェルの蝶番またはシェルの蝶番の二つの組によって、二つのシェル１、３は、爪５、７が接近し、さらに交差して、爪と各シェルの内壁１０、３０によって閉じ込められた髪を締め付ける閉じた状態から、爪が互いに離れる、開いた状態へ移行することができる。図４及び５の実施例では、二つのシェルは、爪５、７の反対側にある、二つのシェルの後縁部２３、２５でぶつかるようになる。爪５、７は、シェル１、３に一体化されているか、これらのシェルに付け加えられている。後者の場合、関節式に接続されたシェル１、３及び骨格は、爪５、７を付けるための中間構造を形成する。
【００３６】
開いた状態での回転は、二つのシェル１、３を閉じた状態に戻そうとする弾性戻し手段の変形に逆らって実施される。
【００３７】
図１〜５の実施例では、弾性戻し手段は、二つのシェル１、３の間に張られたエラストマー材料製のひも１３である。ひも１３は、例えば、平らか円筒形であり、ゴムまたはポリウレタンによって製造される。この材料のショア硬度Ａは６０〜９０単位の範囲にあることが好ましい。
【００３８】
ひも１３は、シェル１、３の間に通路３２を通過して張られており、固定用切り込み２及び４に収容される。ひもは、例えばひもの両端の各々と連結したＵ字形部品３４によって固定され、対応する固定用切り込みの各々に保持される。ひものこの固定方法は、ひもの一端部と連結されたＵ字形部品のレイアウトを詳細に示している図３によって図示されている。Ｕ字形部品以外の他の固定部品、特に、金属製の挟持部品や留め金もまた各々のシェル１、３にひも１３を固定するのに適している。
【００３９】
図１〜５の実施例では、固定用切り込み２、４は、爪５、７の反対側にある、シェルの縁部２３、２５の十分近くに想定されており、それによって、シェルが閉じた状態から開いた状態に回転するとき、ひも１３は、二つのシェルの蝶番８、９、１１、１２の間またはシェルの蝶番の二つの組８１、８２、９１、９２及び１１１、１１２、１２１、１２２の間を回転軸線方向Ａに通過することができる。この配置によって、ひも１３は開いた状態でヘアクリップを安定させ、それによって、ユーザは髪にヘアクリップをより良く位置づけることができる。位置を決めると、ユーザはクリップを閉じた状態に容易に再び閉じることができる。
【００４０】
図７の実施例では、弾性戻し手段は、二つのばね１３１、１３２をそれぞれ備え、これらのばねは、上記の一組のシェルの蝶番に各々が支持される二つの軸３５、３７を中心にそれぞれ取り付けられている。各ばね１３１、１３２は、端部の脚部によって二つのシェル１、３の各々によりかかっている。
【００４１】
本発明によると、ヘアクリップは、例えば装飾品を付けるための支持プレート１７、及び、回転軸線方向Ａの前方で、シェル１、３と連結する支持プレート１７を支持する二つの脚部１９、２１または２０、２２を備える骨格１５を備える。
【００４２】
図１〜７に示した実施例では、支持脚部は、二つのシェルの内壁１０、３０に固定された骨格の蝶番の二つの構成要素２６、２９にはめ込まれた肘金２７、２８を備え、二つのシェル１、３の内壁１０、３０と連結している。肘金２７、２８は、例えば、対応する蝶番の構成要素内の肘金の単純な弾性挟持部材によって、骨格の蝶番の構成要素２６、２９内にはめ込まれている。
【００４３】
二つの脚部１９、２１または２０、２２は、二つのシェルの蝶番８、９、１１、１２の間、または、軸線方向Ａに沿って互いに最も接近している二つの蝶番８１、９１と１１１、１２１の間に延びており、一方の組８１、９１がシェルの蝶番の第一の組に属し、もう一方の組１１１、１２１がシェルの蝶番の第二の組に属している。このようにシェル１、３の内壁に固定され、二つのシェルの蝶番の間に延びている脚部１９、２１または２０、２２によって、有利には、互いにはめ込まれたシェルの蝶番の構成要素を、回転軸線方向Ａに沿って並進しないように動かなくすることができることに注目すべきである。このように、対応する中繰り内に肘金または軸３５、３７の保持手段を想定する必要がない。しかしながら、肘金または軸３５、３７の先端を丸めることが有利であることもある。二つの脚部１９、２１または２０、２２はまた、爪５、７の反対側にある、二つのシェルの後縁部２３、２５の間に延びており、その後縁部は、二つのシェルが閉じた状態から開いた状態に回転するとき、回転軸線方向Ａに対して支持プレート１７が上昇するにつれて、二つの脚部を中心にして間隔が狭められる。
【００４４】
回転軸線方向Ａに対する骨格の上昇は、回転中に二つのシェル１、３の内壁に固定された骨格の蝶番の二つの構成要素２６、２９が、二つの肘金２７、２８が軸線方向Ａを中心とした、二つのシェル１、３の二つの反対向きの回転方向に対応する二つの反対向きの回転方向の環状移動Ｃを行うように駆動することから生じる。しかしながら、反対向きの回転方向での二つの環状移動は、肘金２７、２８の両方について同じ方向の並進移動を構成する。骨格の脚部１９、２１または２０、２２の二つの肘金２７、２８のこの並進移動は、軸線方向Ａに対する支持プレート１７の上昇に起因する。図１及び２に示したように、上昇は、支持プレートと軸線方向Ａを隔てる距離の増大から生じるのであり、該距離は、閉じた状態での距離Ｄ１から、Ｄ１を上回る、開いた状態での距離Ｄ２へと移行する。この並進移動の方向は、脚部１９、２１または２０、２２が後方に延びて、例えば、シェル１、３が開いた状態へ回転するときこの脚部１９、２１または２０、２２を中心にして間隔が狭められる二つのシェルの後縁部２３、２５の間に延びることで、二つのシェルの上に支持プレートを支持することによって決められる。
【００４５】
骨格の脚部１９、２１または２０、２２の長さを調節することにより、開いた状態で互いに開いている二つのシェル１及び３のちょうど上の軸線方向に対する骨格の上昇を制御する。その結果として、開いた状態でのシェルの回転を邪魔することなく、あらゆるサイズの装飾品を支持プレート１７に固定することができる。
【００４６】
特に図１及び２に示した、本発明の第一の実施態様によると、骨格１５の二つの脚部１９、２１は、交差することなく、各々支持プレート１７の一方の側に延びている。
【００４７】
特に図４及び５に示し、図９及び１０に詳細に図示した、本発明の第二の実施態様によると、骨格１５の二つの脚部２０、２２は互い違いに取り付けられており、第一の肘部１６、１８及び第二の肘部６、８に曲がっており、クリップが閉じた状態のとき交差し（図９）、クリップが開いた状態のときシェルの後縁部２３、２５の間で一致する（図１０）ようになっている。その一致は、二つの脚部２０、２２の各々について、第一の肘部６、８及び第二の肘部１６、１８の間に含まれる部分に関する。前記のように、骨格１５の上昇は、そのように、二つの脚部２０、２２がまだ交差している、上昇が小さい第一段階と、第一及び第二の肘部の間に含まれる部分が互いに一致する、上昇が大きい第二段階とで制御される。この配置によって、骨格１５の寸法が小さくなり、二つの脚部２０、２２が伸びるのに必要な二つのシェル１、３の縁部２３、２５間の間隔が狭くなる。
【００４８】
図１１を参照すると、骨格１５の脚部２０、２２は、好ましくは肘金２７、２８の区域に切り込み３６、３８があり、ひも１３が二つのシェルの開いた状態で回転軸線方向Ａを通過したとき、そのひもを収容する。
【００４９】
本発明の第三の実施態様（図１３〜１６）によると、骨格の脚部は、シェルが閉じた状態で二つの脚部が交差しているときに互いによりかかるストッパ３９、４１を備える。この配置によって、骨格の脚部は閉じた状態での二つのシェルの回転ストロークを制限する。その結果、二つの爪が、閉じた状態で交差するように想定されているとき、それ自体はもはやストッパを形成するものではなくなる。すなわち、二つのシェルの閉じた状態への戻りによって二つの爪が互いに衝突することがなくなるのだが、これはヘアクリップのユーザに不快音として認識されることがあるぱたんという音の原因となるものであった。
【００５０】
図示した実施例では、ストッパ３９、４１は肘金２７、２８と各脚部の第一の肘部１６、１８との間に延びている。
【００５１】
好ましくは、ストッパ３９、４１は、二つの肘金２７、２８の整列Ｔに対して、支持プレート１７の反対側で互いに接触するようになっている。この配置によって、二つのストッパが支持プレート１７を後方に並進移動させながら互いに対して回転することを防いで、ストッパ３９、４１は、閉じた状態（図１６）での二つのシェル１、３の戻し手段１３の応力により良く対抗できるようになる。
【００５２】
図示した実施例では、ストッパ３９、４１は三角形の形状であり、その頂点は肘金２７、２８と合致し、底辺は接触縁部４０、４２と合致するが、該接触縁部は、ストッパが互い接触するとき（図１３または１６）、二つの肘金２７、２８の整列Ｔに対して支持プレート１７と反対側に置かれた端部Ｅから、二つの肘金の整列Ｔに対して支持プレート１７と同じ側に置かれた端部Ｆへと延びている。
【００５３】
第一、第二または第三の実施態様によると、骨格１５は例えば金属で形成され、脚部の厚さは、留め具２７、２８が前記の環状の軌跡の円弧を描くときに、たわんで変形することができるように想定される。好ましくは、骨格１５は鋳造及び射出されたプラスチック材料製の部品であり、脚部１９、２１及び２０、２２と支持プレート１７との間の接合部で材料が薄くなっている部分３１、３３を呈している。図１２は、図９、１０及び１１に図示した骨格の鋳造及び射出による製造用のパーティングラインの概略図である。
【図面の簡単な説明】
【００５４】
【図１】本発明の第一の実施態様による閉じた状態のクリップの断面図
【図２】開いた状態の図１のクリップの断面図
【図３】図１及び２に示したクリップのシェルへのひもの固定方法を示す詳細図
【図４】本発明の第二の実施態様による閉じた状態のクリップの断面図
【図５】開いた状態の図４に示したクリップの断面図
【図６】図４に示したクリップの正面図
【図７】弾性戻し手段がばねの組である第二の実施態様の一変形実施例の正面図
【図８】第一または第二の実施態様によるクリップのシェルの蝶番の正面図
【図９】クリップの閉じた状態に対応する下降した位置における、第二の実施態様によるヘアクリップで使用される骨格を示す図
【図１０】クリップの開いた状態に対応する上昇した位置での図９の骨格を示す図
【図１１】肘金の区域に切り込みのある図９及び１０に示した骨格の脚部の正面図
【図１２】上記の図９、１０及び１１に図示した骨格の射出鋳造による製造用のパーティングラインの概略図
【図１３】二つの脚部がストッパを備える骨格の第三の実施態様を示す図
【図１４】ストッパが互いに離れている図１３の骨格を示す図
【図１５】図１３及び１４の骨格の斜視図
【図１６】クリップが閉じた状態にある、第三の実施態様による骨格を備えるヘアクリップを示す図
【符号の説明】
【００５５】
１、３                      シェル
２、４                      固定用切り込み
５、７                      爪
８、９、１１、１２          蝶番
８１、９１、１１１、１２１  蝶番
８２、９２、１１２、１２２  蝶番
１０、３０                  シェルの内壁
１３                        ひも
１３１、１３２              ばね
１５                        骨格
６、８、１６、１８          肘部
１７                        支持プレート
１９〜２２                  脚部
２３、２５                  シェルの後縁部
２６、２９                  蝶番の構成要素
２７、２８                  肘金
３１、３３                  脚部と支持プレートとの間の接合部
３２                        通路
３４                        Ｕ字形部品
３５、３７                  軸
３６、３８                  切り込み
３９、４１                  ストッパ
４０、４２                  接触縁部
【図１】
2009502222.tif 000003
【図２】
2009502222.tif 000004
【図３】
2009502222.tif 000005
【図４】
2009502222.tif 000006
【図５】
2009502222.tif 000007
【図６】
2009502222.tif 000008
【図７】
2009502222.tif 000009
【図８】
2009502222.tif 000010
【図９】
2009502222.tif 000011
【図１０】
2009502222.tif 000012
【図１１】
2009502222.tif 000013
【図１２】
2009502222.tif 000014
【図１３】
2009502222.tif 000015
【図１４】
2009502222.tif 000016
【図１５】
2009502222.tif 000017
【図１６】
2009502222.tif 000018
【手続補正書】
【提出日】平成19年5月21日(2007.5.21)
【手続補正１】
【補正対象書類名】特許請求の範囲
【補正対象項目名】全文
【補正方法】変更
【補正の内容】
【特許請求の範囲】
【請求項１】
ヘアクリップであって、クリップの前方に爪（５、７）を備える二つのシェル（１、３）を備え、該シェルは、爪（５、７）が接近し、さらに交差して、爪によって閉じ込められた髪を締め付ける閉じた状態から、シェル（１、３）を閉じた状態に戻そうとする弾性戻し手段（１３、１３１、１３２）の変形に逆らって爪が離れる開いた状態まで、クリップの後方に同じ軸線方向（Ａ）に沿って延びている、二つのシェルに固定された二つのシェルの蝶番（８〜１２）を中心にして互いに対して回転し、例えば装飾品を付けるための支持プレート（１７）と、閉じた状態で支持プレート（１７）を二つのシェル（１、３）の上に支持する二つの脚部（１９〜２２）を備えるヘアクリップにおいて、二つの脚部（１９〜２２）が、閉じた状態では軸線方向（Ａ）の前方で二つのシェル（１、３）に連結しており、それによって、二つのシェル（１、３）が閉じた状態から開いた状態に回転するとき、後方へ並進移動しながら軸線方向（Ａ）に対する支持プレート（１７）の上昇運動を構成することを特徴とする、ヘアクリップ。
【請求項２】
二つの脚部（１９〜２２）が、二つのシェルの蝶番（８〜１２）の間と、二つのシェル（１、３）が閉じた状態から開いた状態に回転するときに回転軸線方向（Ａ）に対して支持プレート（１７）が上昇するにつれて脚部（１９〜２２）を中心にして間隔が狭められる二つのシェルの後縁部（２３、２５）の間に延びて、二つのシェル（１、３）の内壁（１０、３０）と連結される（２６〜２９）ことを特徴とする、請求項１に記載のヘアクリップ。
【請求項３】
二つの脚部（２０、２２）が、二つのシェルが閉じた状態にあるとき交差し、二つのシェル（１、３）が開いた状態にあるときには、間隔が狭められる二つのシェルの後縁部（２３、２５）の間で一致するように、互い違いに配置され、肘形に曲がっている（６、１６；８、１８）ことを特徴とする、請求項２に記載のヘアクリップ。
【請求項４】
脚部（１９〜２２）が、二つのシェルに固定された骨格の二つの構成要素（２６、２９）にはめ込まれる肘金（２７、２８）を備えることを特徴とする、請求項１〜３のいずれか一つに記載のヘアクリップ。
【請求項５】
二つの脚部（１９〜２２）が、二つのシェル（１、３）が閉じた状態で二つの脚部が交差しているときに互いによりかかるストッパ（３９、４１）を備えることを特徴とする、請求項３または４に記載のヘアクリップ。
【請求項６】
ストッパ（３９、４１）が、肘金（２７、２８）と各脚部（１９〜２２）の第一の肘部（１６、１８）との間に延びていることを特徴とする、請求項５に記載のヘアクリップ。
【請求項７】
二つのシェル（１、３）が閉じた状態にあるとき、ストッパ（３９、４１）は、二つの肘金（２７、２８）の整列（Ｔ）に対して支持プレート（１７）の反対側（Ｅ）で互いに接触するようになっており、二つのストッパ（３９、４１）が支持プレート（１７）を後方に並進移動させながら互いに対して回転することを防ぐようになっていることを特徴とする、請求項５または６に記載のヘアクリップ。
【請求項８】
支持プレート（１７）及び二つの脚部（１９〜２２）は、鋳造及び射出されたプラスチック材料製の同一部品であり、脚部（１９〜２２）と支持プレート（１７）との間の接合部で材料が薄くなっている部分（３１、３３）を呈することを特徴とする、請求項１〜７のいずれか一つに記載のヘアクリップ。
【請求項９】
弾性戻し手段（１３）が、一組のシェルの蝶番（８１〜１２１；８２〜１２２）によって各々支持された二つの軸（３５、３７）を中心にして取り付けられた二つのばね（１３１、１３２）を備えることを特徴とする、請求項１に記載のヘアクリップ。
【請求項１０】
弾性戻し手段（１３）が、二つのシェル（１、３）の間に張られたエラストマー材料製のひもであることを特徴とする、請求項１に記載のヘアクリップ。
【国際調査報告】
2009502222.tif 000019
2009502222.tif 000020
2009502222.tif 000021
2009502222.tif 000022
2009502222.tif 000023
2009502222.tif 000024